(57)【要約】【課題】屋外スポーツ施設の雨水及び建設工事途中で発生した水を効率よく除水する。従来の発明では実用化に至ってない。【解決手段】吸水スポンジ２をパンチング材円筒３に取り付ける方法として、小型ファスナー４を用いる。小型ファスナー４をランダムに押し込める。この方法によるとパンチング材円筒３と吸水スポンジ２に隙間５ができ貫通孔１５が最大限利用できる。また自在に吸水スポンジ２の隙間１４を設けることも出来、効率よくパンチング材円筒３の内面に水を誘導できる。導水羽根６の誘導で貯水タンク８により多くの水が流れ込み除水効率が高まる。また小型ファスナー４を使用することで吸水スポンジ２の交換が容易で、寝具などの日用品で不要となったスポンジをリユースできる装置である。【選択図】図１
2005248552.tif 000002
【特許請求の範囲】
【請求項１】
従来の除水装置では、外側多孔ドラムへの吸水部材の取り付けは、接着剤で固定するか、又は無端ベルトで巻きつけるなどである。装置の特性上、接着やベルトなどの方法では回転運動や絞りローラーの圧力には耐えられない。また装置の自重や、貯水タンク満水時の全体重量のため、吸水部材の消耗は激しいものとなる。そのため吸水部材の取り付けや交換は手軽な方法が求められる。本発明はパンチング材円筒３に吸水スポンジ２を取り付けるために小型ファスナー４を用いる。接着剤を使わないため、貫通孔１５を塞ぐこともなく貫通孔１５が有効に活用され、また小型ファスナー４をランダムに使用することで、パンチング材円筒３と吸水スポンジ２に隙間５が生じる。そのためスポンジ絞りローラー１で搾り出された水がより多く貫通孔１５に導かれる。小型ファスナー４を用いることで、吸水スポンジ２の取り付け交換が容易で、かつ、除水効率が向上する方法を考案した装置である。
【請求項２】
スポンジ絞りローラー１で絞り出された水が、パンチング材円筒３に多数ある貫通孔１５を通過して、パンチング材円筒３の内周に移動する。しかし、搾り出された水はスポンジ２を全て通過せず、スポンジ表面を移動する水はかなり多く、そのままでは床面に逆戻りする。そこでパンチング材円筒３に取り付けられた吸水スポンジ２に隙間１４をいれる方法を用いた装置である。その隙間１４に水を誘導し、そこから貫通孔１５に落下させることで除水効率が高まる。なお、吸水スポンジ２の隙間１４はスポンジ絞りローラー１に対して平行にすると、スポンジ絞りローラー１が隙間１４から抜け出す時に作業者に負荷がかかり、円滑な作業が出来ないため、スポンジ絞りローラー１と隙間１４は平行に設けない。
【請求項３】
水は物体の表面を伝わる性質がある。貫通孔１５を通過した水はパンチング材円筒３の内面を伝わって元の位置の戻ってしまう。そこで貫通孔１５を通過した水がパンチング材円筒３の内面を流れ落ちるのを防ぎ、貯水タンク８に流れ込むようにパンチング材円筒３の内周に突起を設ける。それが導水羽根６である。パンチング材円筒３の内周に三角形の導水羽根６を取り付けて、除水効率を高める方法を用いた装置である。
【請求項４】
貯水タンク８に回収された水が、オーバーフローしては無駄な作業の繰り返しとなる。貯水タンク８の側面に液面表示２２を取り付ける。作業者が除水装置側面の液面のぞき孔１３から貯水量９の確認できる。液面レベルを確認することで作業効率をより高めることが出来る方法を用いた除水装置である。
【発明の詳細な説明】
【技術分野】
【０００１】
本発明は、屋外スポーツ施設の雨水及び建設工事途中で発生した水を効率よく除水する装置である。
【背景技術】
【０００２】
球技場、テニスコート、ゴルフ場のグリーン等の屋外スポーツ施設、及び舗装施設などに溜まった水を取り除くため、吸水スポンジで吸水し、それを絞り取り円筒内部に収納された貯水タンクに落とし込むもので進行方向は前進・後退の双方向で除水作業が行える。
【０００３】
しかし従来の発明では、吸水材をパンチング材に確実に取り付ける方法がなく、回転摩擦や装置の自重圧力がかかると、パンチング材からはがれないという確実性に乏しい。吸水材の材質や固定方法が未知のため、実用化に至ってないのが現状である。
【発明の開示】
【発明が解決しようとする課題】
【０００４】
従来の発明では、除水装置の製作上のネックとしては、吸水材をパンチング材に取り付ける確たる方法がない、また吸水材を無端ベルトとしているものもあるが、いずれも絞りローラーの圧力をかけると、パンチング材からはがれる恐れがある。上記の方法ではいずれも特殊な吸水材を必要とする。また、吸水された水の回収効率が低く、実用化に至ってないのが現状である。
【課題を解決するための手段】
【０００５】
吸水スポンジをパンチング材円筒に取り付ける方法を明確にする。また、除水効率を高めるために吸着した水を元の位置に戻さない構造を作る。そして作業が無駄にならないような、補助機構を取り付ける。
【０００６】
パンチング材円筒３に吸水スポンジ２を取り付けた除水装置を回転させる。水溜まり１０２で吸水した水分を、吸水スポンジ２の頂点に設置したスポンジ絞りローラー１にて絞り出す。絞り出された水はパンチング材円筒３に多数ある貫通孔から円筒内周に移動して貯水タンクに落下する。ハンドルを逆方向に倒すと貯水タンクの水が排出される。
【発明の効果】
【０００７】
天候に左右される屋外競技は、雨が上ると競技場のいたるところに、水溜りが出来る。溜まり水を除去する作業は関係者の悩みの種である。本除水装置で効率よく水を取り除き、競技開始の待ち時間を削減する。また、建設工事現場やトラックターミナルのたまり水などを素早く除水できる。冬場にはこれらの水は凍結し、作業者が危険にさらされるのを防止することも出来る。
【発明を実施するための最良の形態】
【０００８】
吸水スポンジ２を取り付ける方法として接着剤を用いず、小型ファスナー４と貫通孔１５でサンドイッチ方式にて固定する。吸水スポンジ２はプッシュ・プルのワンタッチで交換が可能である。
【実施例１】
【０００９】
図１は本発明の全体図であり、貯水タンクを円筒内に収納しており、きわめてシンプルな形状である。
【実施例２】
【００１０】
図２は本発明の特徴である、吸水スポンジ２の固定に小型ファスナー４を用いてパンチング材円筒３に取り付ける図である。また水の回収効率を上げるため、隙間５、導水羽根６及び吸水スポンジ隙間１４を描いたものである。
【図面の簡単な説明】
【００１１】
【図１】本発明の全体図であり、貯水タンクを円筒内に収納しており、きわめてシンプルな形状である。
【図２】本発明の基本構想である。水溜まり１０２で吸引された水が、吸水スポンジ２の回転に従い頂点に達し、スポンジ絞りローラー１で圧縮される。絞られた水はパンチング材円筒３の貫通孔１５を通過し円筒内面に排出される。またでスポンジ絞りローラー１で絞られた水の一部は吸水スポンジ２の上に浮き上がる、これをスポンジ絞りローラー１で回転方向に押し続け吸水スポンジ２の隙間１４に落としこむ。いずれの水もパンチング材円筒３の内周を伝わって最下段まで流れ落ちるのを防止するため導水羽根６をパンチング材円筒３の内周に複数取り付ける。導水羽根６の誘導でしずく７が貯水タンク８に効果的に落ちる
【図３】正面図とその一部の断面図である。貯水量９が作業者からわかるよう貯水タンク８の側面に液面表示２２をとりつける。
【図４】側面図である。除水装置の軽量化と液面表示２２を読み取るため、液面覗き孔１３を設ける。
【図５】貯水タンク８の水を排水２３するものである。液面表示２２で液面を確認し、側溝や排水溝近くまで移動してハンドル１９を逆方向に倒す。ハンドル１９とメインシャフト１７及び貯水タンク８は連動しており、ハンドル１９を逆転させることで貯水タンク８の開口部が横向きとなり、排水２３が流出する。排水栓などは不要である。
【図６】保管時の姿である。吸水スポンジ２には通常は圧力をかけないこと、及び使用後の水洗いと乾燥のため保管スタンド１８を用いて、円筒全体を持ち上げる。
【符号の説明】
【００１２】
１        スポンジ絞りローラー
２        吸水スポンジ
３        パンチング材円筒
４        小型ファスナー（プッシュ・プルタイプ）
５        パンチング円筒とスポンジの隙間
６        導水羽根
７        しずく
８        貯水タンク
９        貯水
１０      車軸
１１      ベアリング
１２      双方向回転
１３      液面除き孔
１４      吸水スポンジの隙間
１５      貫通孔
１７      メインシャフト
１８      保管スタンド
１９      ハンドル
２０      ローラーシャフト
２１      支柱
２２      液面表示
２３      排水
１０１    床面
１０２    水溜まり
【図１】
2005248552.tif 000003
【図２】
2005248552.tif 000004
【図３】
2005248552.tif 000005
【図４】
2005248552.tif 000006
【図５】
2005248552.tif 000007
【図６】
2005248552.tif 000008